(57)【要約】      （修正有） 【課題】板紙製で、堅牢でかつ取付用台紙板の長孔に簡単かつ確実に差し込み保持できる商品展示用具を提供する。【解決手段】長孔２を有する取付用台紙板１と、長孔２に着脱可能な板紙製商品吊下具１０とからなる。板紙製商品吊下具１０は、基板部１２と接合用板部とを有する２枚の商品吊下用板部材１１、１１で、接合用板部が接合され、基板部１２と接合用板部の折り曲げ部１４で商品吊下用板部材１１、１１の下辺側が広がるように付勢される。商品吊下用板部材１１、１１は、基端部に台紙板１の長孔２に挿入可能な差込可能部１５と、台紙板１に当接可能な上部側押さえ部１６と、基板部１２の下辺の基端側かつ差込可能部１５とに設けられ、台紙板１に当接可能な下部側押さえ部１７と、差込可能部１５と下部側押さえ部１７間に形成され、長孔２の下部が進入可能な溝部１８とを備える。【選択図】図１
0003161386.tif 000002
【実用新案登録請求の範囲】
【請求項１】
１または複数の縦方向に延びる長孔を有する取付用台紙板と、前記長孔に着脱可能に装着される１または複数の板紙製商品吊下具とからなる商品展示用具であって、
前記板紙製商品吊下具は、基端側より先端側へ延び、かつ折り曲げられることにより形成された上辺を有する基板部および接合用板部とを有する２枚の商品吊下用板部材からなり、かつ、前記２枚の商品吊下用板部材の前記接合用板部が向かい合うように配置され、接合されることにより形成され、さらに、前記基板部と前記接合用板部間の折り曲げ部により、前記２枚の商品吊下用板部材の下辺側が広がるように付勢されたものとなっており、
さらに、それぞれの前記商品吊下用板部材は、基端部に設けられ、前記取付用台紙板の前記長孔に同時に挿入可能な差込可能部と、前記基板部の前記上辺の基端側に設けられ、上方に突出し、かつ前記取付用台紙板に当接可能な上部側押さえ部と、前記基板部の下辺の基端側かつ前記差込可能部と近接する位置に設けられ、下方に突出し、かつ前記取付用台紙板に当接可能な下部側押さえ部と、前記差込板部と前記下部側押さえ部間により形成され、前記取付用台紙板の前記長孔の下辺付近かつ下部となる部分が進入可能な溝部とを備え、
前記板紙製商品吊下具は、前記２枚の板紙製吊下用板部材を押さえ、前記差込可能部を閉じた状態とすることにより、前記取付用台紙板の前記長孔に挿入可能であり、かつ、挿入後の前記板紙製商品吊下用板部材の前記長孔の下辺方向への移動による前記溝部への前記取付用台紙板の前記長孔の下辺付近かつ下部となる部分の進入により、前記取付用台紙板に装着され、さらに、装着された前記板紙製商品吊下用板部材は、前記板紙製商品吊下用板部材が有する付勢力により、前記下辺側が若干広がるものとなることを特徴とする商品展示用具。
【請求項２】
前記下部側押さえ部は、前記差込可能部より下方に延び、かつ下端部は前記下部側押さえ部側に膨出しており、さらに、前記差込板部と前記下部側押さえ部間により形成される前記溝部の開口端部は、前記差込可能部側に屈曲している請求項１に記載の商品展示用具。
【請求項３】
前記商品吊下用板部材の前記差込可能部の長さが、前記取付用台紙板の前記長孔の長さより短くまた、前記板紙製商品吊下具は、前記２枚の板紙製商品吊下用板部材の前記差込可能部を閉じた状態における厚さが、前記長孔の幅より薄いものとなっている請求項１または２に記載の商品展示用具。
【請求項４】
前記接合用板部は、前記上部側押さえ部および前記下部側押さえ部より先端側に設けられており、前記差込可能部、前記上部側押さえ部および前記下部側押さえ部には、設けられていない請求項１ないし３のいずれかに記載の商品展示用具。
【請求項５】
前記各商品吊下用板部材は、前記基板部の前記上辺の先端部より、上方に突出するフック部を備えている請求項１ないし４のいずれかに記載の商品展示用具。
【請求項６】
前記接合用板部は、前記基板部と略同一又は若干幅狭の長方形となっている請求項１ないし５のいずれかに記載の商品展示用具。
【請求項７】
前記上部側押さえ部は、前記板紙製商品吊下具の前記取付用台紙板への装着時において、前記取付用台紙板の前記長孔の上辺より上部側となる部分と当接するものである請求項１ないし６のいずれかに記載の商品展示用具。
【請求項８】
複数の縦方向に延びる長孔を有する取付用台紙板と、前記長孔に着脱可能に装着される複数の板紙製商品吊下具とからなる商品展示用具であって、
前記板紙製商品吊下具は、基端側より先端側へ延び、かつ折り曲げられることにより形成された上辺を有する基板部および接合用板部とを有する２枚の商品吊下用板部材からなり、かつ、前記２枚の商品吊下用板部材の前記接合用板部が向かい合うように配置され、接合されることにより形成され、さらに、前記基板部と前記接合用板部間の折り曲げ部により、前記２枚の商品吊下用板部材の下辺側が広がるように付勢されたものとなっており、
さらに、それぞれの前記商品吊下用板部材は、基端部に設けられ、前記取付用台紙板の前記長孔に同時に挿入可能な差込可能部と、前記基板部の前記上辺の基端側に設けられ、上方に突出し、かつ前記取付用台紙板に当接可能な上部側押さえ部と、前記基板部の下辺の基端側かつ前記差込可能部と近接する位置に設けられ、下方に突出し、かつ前記取付用台紙板に当接可能な下部側押さえ部と、前記差込板部と前記下部側押さえ部間により形成され、前記取付用台紙板の前記長孔の下辺付近かつ下部となる部分が進入可能な溝部とを備え、
さらに、前記下部側押さえ部は、前記差込可能部より下方に延び、かつ下端部は前記下部側押さえ部側に膨出しており、かつ、前記差込板部と前記下部側押さえ部間により形成される前記溝部の開口端部は、前記差込可能部側に屈曲しており、
前記板紙製商品吊下具は、前記２枚の板紙製商品吊下用板部材を押さえ、前記差込可能部を閉じた状態とすることにより、前記取付用台紙板の前記長孔に挿入可能であり、かつ、挿入後の前記板紙製商品吊下用板部材の前記長孔の下辺方向への移動による前記溝部への前記取付用台紙板の前記長孔の下辺付近かつ下部となる部分の進入により、前記取付用台紙板に装着され、さらに、装着された前記板紙製商品吊下用板部材は、前記板紙製商品吊下用板部材が有する付勢力により、前記下辺側が若干広がるものとなることを特徴とする商品展示用具。
【請求項９】
前記商品吊下用板部材の前記差込可能部の長さが、前記取付用台紙板の前記長孔の長さより短くまた、前記板紙製商品吊下具は、前記２枚の板紙製商品吊下用板部材の前記差込可能部を閉じた状態における厚さが、前記長孔の幅より薄いものとなっている請求項８に記載の商品展示用具。
【請求項１０】
前記接合用板部は、前記上部側押さえ部および前記下部側押さえ部より先端側に設けられており、前記差込可能部、前記上部側押さえ部および前記下部側押さえ部には、設けられていない請求項８に記載の商品展示用具。
【請求項１１】
前記各商品吊下用板部材は、前記基板部の前記上辺の先端部より、上方に突出するフック部を備えている請求項８ないし１０のいずれかに記載の商品展示用具。
【請求項１２】
前記接合用板部は、前記基板部と略同一又は若干幅狭の長方形となっている請求項８ないし１１のいずれかに記載の商品展示用具。
【請求項１３】
前記上部側押さえ部は、前記板紙製商品吊下具の前記取付用台紙板への装着時において、前記取付用台紙板の前記長孔の上辺より上部側となる部分と当接するものである請求項８ないし１２のいずれかに記載の商品展示用具。
【考案の詳細な説明】
【技術分野】
【０００１】
この考案は、ボード、ディスプレイ板、段ボール板等取付用台紙板に板紙製商品吊下具を取付け、商品を吊り下げ陳列する商品展示用具に関する。
【背景技術】
【０００２】
従来、着脱可能なハンガーディスプレイとして、プレート基板１に水平方向に長く直線スリット状に孔設した複数の長孔部３を備えたディスプレイ板Ａと、前記長孔部３内に着脱可能に嵌着し且つ該長孔部３の下辺３ａに吊り下げ可能な逆Ｕ字形板状の吊下支持部５の前面側に突出する吊下部８とを設けたハンガー手段Ｂとから構成されるものが公開されている（特許文献１）。
【先行技術文献】
【特許文献】
【０００３】
【特許文献１】特開２００６−１８０９９７号公報
【考案の概要】
【考案が解決しようとする課題】
【０００４】
特許文献１のハンガーディスプレイにおいて、ハンガー手段のＵ字形板状の吊下支持部を長孔部に挿入する際に斜めから入れるときに挿入しにくい。長孔の両側に上向き切り込み部３ｃを設けて、切り込み部に沿う分離と基板の弾力性とにより、長孔部３の内方に撓み易くなって、後面板７を長孔部３内に嵌入する際に嵌入し易くしてある。長孔の両側に上向き切り込み部３ｃがないと、Ｕ字形板状の吊下支持部を差し込みにくい。またこの構造では挿入後はＵ字形板状の吊下支持部と台紙間に隙間があるためがたつきやすいという問題がある。
Ｕ字形板状の吊下支持部は長孔部に斜めにして差し込むので、長い前面板がある場合には、その長い前面板が邪魔になって差し込みにくい。Ｕ字形板状の吊下支持部と棒状吊下部との構成であるから、板紙製とすると、吊下支持部と棒状吊下部との接合部に荷重がかかり破損しやすいなどの問題がある。
ハンガー手段は樹脂であり、台紙が紙製である場合には、廃棄処理を分別してしなければならないので、不便である。
【０００５】
この考案は、このような問題点を解消するために、取付用台紙板に板紙製商品吊下具を簡単かつ確実に取付け保持でき、板紙製で堅牢で、製作が簡単かつ安価に提供でき、廃棄処理にも便利とした商品展示用具を提供することを目的とする。
【課題を解決するための手段】
【０００６】
上記目的を達成するものは、以下のものである。
（１）  １または複数の縦方向に延びる長孔を有する取付用台紙板と、前記長孔に着脱可能に装着される１または複数の板紙製商品吊下具とからなる商品展示用具であって、
前記板紙製商品吊下具は、基端側より先端側へ延び、かつ折り曲げられることにより形成された上辺を有する基板部および接合用板部とを有する２枚の商品吊下用板部材からなり、かつ、前記２枚の商品吊下用板部材の前記接合用板部が向かい合うように配置され、接合されることにより形成され、さらに、前記基板部と前記接合用板部間の折り曲げ部により、前記２枚の商品吊下用板部材の下辺側が広がるように付勢されたものとなっており、
さらに、それぞれの前記商品吊下用板部材は、基端部に設けられ、前記取付用台紙板の前記長孔に同時に挿入可能な差込可能部と、前記基板部の前記上辺の基端側に設けられ、上方に突出し、かつ前記取付用台紙板に当接可能な上部側押さえ部と、前記基板部の下辺の基端側かつ前記差込可能部と近接する位置に設けられ、下方に突出し、かつ前記取付用台紙板に当接可能な下部側押さえ部と、前記差込板部と前記下部側押さえ部間により形成され、前記取付用台紙板の前記長孔の下辺付近かつ下部となる部分が進入可能な溝部とを備え、
前記板紙製商品吊下具は、前記２枚の板紙製商品吊下用板部材を押さえ、前記差込可能部を閉じた状態とすることにより、前記取付用台紙板の前記長孔に挿入可能であり、かつ、挿入後の前記板紙製商品吊下用板部材の前記長孔の下辺方向への移動による前記溝部への前記取付用台紙板の前記長孔の下辺付近かつ下部となる部分の進入により、前記取付用台紙板に装着され、さらに、装着された前記板紙製商品吊下用板部材は、前記板紙製商品吊下用板部材が有する付勢力により、前記下辺側が若干広がるものとなることを特徴とする商品展示用具。
【０００７】
（２）  前記下部側押さえ部は、前記差込可能部より下方に延び、かつ下端部は前記下部側押さえ部側に膨出しており、さらに、前記差込板部と前記下部側押さえ部間により形成される前記溝部の開口端部は、前記差込可能部側に屈曲している前記（１）に記載の商品展示用具。
（３）  前記商品吊下用板部材の前記差込可能部の長さが、前記取付用台紙板の前記長孔の長さより短く、また、前記板紙製商品吊下具は、前記２枚の板紙製商品吊下用板部材の前記差込可能部を閉じた状態における厚さが、前記長孔の幅より薄いものとなっている前記（１）または前記（２）に記載の商品展示用具。
（４）  前記接合用板部は、前記上部側押さえ部および前記下部側押さえ部より先端側に設けられており、前記差込可能部、前記上部側押さえ部および前記下部側押さえ部には、設けられていない前記（１）ないし前記（３）のいずれかに記載の商品展示用具。
（５）  前記各商品吊下用板部材は、前記基板部の前記上辺の先端部より、上方に突出するフック部を備えている前記（１）ないし前記（４）いずれかに記載の商品展示用具。
（６）  前記接合用板部は、前記基板部と略同一又は若干幅狭の長方形となっている前記（１）ないし前記（５）のいずれかに記載の商品展示用具。
（７）  前記上部側押さえ部は、前記板紙製商品吊下具の前記取付用台紙板への装着時において、前記取付用台紙板板の前記長孔の上辺より上部側となる部分と当接するものである前記（１）ないし前記（６）のいずれかに記載の商品展示用具。
【０００８】
（８）  複数の縦方向に延びる長孔を有する取付用台紙板と、前記長孔に着脱可能に装着される複数の板紙製商品吊下具とからなる商品展示用具であって、
前記板紙製商品吊下具は、基端側より先端側へ延び、かつ折り曲げられることにより形成された上辺を有する基板部および接合用板部とを有する２枚の商品吊下用板部材からなり、かつ、前記２枚の商品吊下用板部材の前記接合用板部が向かい合うように配置され、接合されることにより形成され、さらに、前記基板部と前記接合用板部間の折り曲げ部により、前記２枚の商品吊下用板部材の下辺側が広がるように付勢されたものとなっており、
さらに、それぞれの前記商品吊下用板部材は、基端部に設けられ、前記取付用台紙板の前記長孔に同時に挿入可能な差込可能部と、前記基板部の前記上辺の基端側に設けられ、上方に突出し、かつ前記取付用台紙板に当接可能な上部側押さえ部と、前記基板部の下辺の基端側かつ前記差込可能部と近接する位置に設けられ、下方に突出し、かつ前記取付用台紙板に当接可能な下部側押さえ部と、前記差込可能部と前記下部側押さえ部間により形成され、前記取付用台紙板の前記長孔の下辺付近かつ下部となる部分が進入可能な溝部とを備え、
さらに、前記下部側押さえ部は、前記差込可能部より下方に延び、かつ下端部は前記下部側押さえ部側に膨出しており、かつ、前記差込可能部と前記下部側押さえ部間により形成される前記溝部の開口端部は、前記差込可能部側に屈曲しており、
前記板紙製商品吊下具は、前記２枚の板紙製商品吊下用板部材を押さえ、前記差込可能部を閉じた状態とすることにより、前記取付用台紙板の前記長孔に挿入可能であり、かつ、挿入後の前記板紙製商品吊下用板部材の前記長孔の下辺方向への移動による前記溝部への前記取付用台紙板の前記長孔の下辺付近かつ下部となる部分の進入により、前記取付用台紙板に装着され、さらに、装着された前記板紙製商品吊下用板部材は、前記板紙製商品吊下用板部材が有する付勢力により、前記下辺側が若干広がるものとなることを特徴とする商品展示用具。
【０００９】
（９）  前記商品吊下用板部材の前記差込可能部の長さが、前記取付用台紙板の前記長孔の長さより短くまた、前記板紙製商品吊下具は、前記２枚の板紙製商品吊下用板部材の前記差込可能部を閉じた状態における厚さが、前記長孔の幅より薄いものとなっている前記（８）に記載の商品展示用具。
（１０）  前記接合用板部は、前記上部側押さえ部および前記下部側押さえ部より先端側に設けられており、前記差込可能部、前記上部側押さえ部および前記下部側押さえ部には、設けられていない前記（８）に記載の商品展示用具。
（１１）  前記各商品吊下用板部材は、前記基板部の前記上辺の先端部より、上方に突出するフック部を備えている前記（８）ないし前記（１０）のいずれかに記載の商品展示用具。
（１２）  前記接合用板部は、前記基板部と略同一又は若干幅狭の長方形となっている前記（８）ないし前記（１１）のいずれかに記載の商品展示用具。
（１３）  前記上部側押さえ部は、前記板紙製商品吊下具の前記取付用台紙板への装着時において、前記取付用台紙板板の前記長孔の上辺より上部側となる部分と当接するものである前記（８）ないし前記（１２）のいずれかに記載の商品展示用具。
【考案の効果】
【００１０】
この考案の商品展示用具によれば、２枚の板紙を用いて、板紙製商品吊下具は、折り曲げられることにより形成された上辺を有する基板部および接合用板部とを有する２枚の商品吊下用板部材からなり、２枚の商品吊下用板部材の接合用板部が接合されることにより形成され、基板部と接合用板部間の折り曲げ部により、２枚の商品吊下用板部材の下辺側が広がるように付勢され、さらに、それぞれの商品吊下用板部材は、基端部に設けられ、取付用台紙板の長孔に同時に挿入可能な差込可能部と、基板部の上辺の基端側に設けられ、上方に突出し、かつ取付用台紙板に当接可能な上部側押さえ部と、基板部の下辺の基端側かつ差込可能部と近接する位置に設けられ、下方に突出し、かつ取付用台紙板に当接可能な下部側押さえ部と、差込可能部と下部側押さえ部間により形成され、取付用台紙板の長孔の下辺付近かつ下部となる部分が進入可能な溝部とを備え、溝部に取付用台紙板の長孔の下辺付近かつ下部が進入し、上部側押さえ部と下部側押さえ部を取付用台紙板の前面に当接し、板紙製商品吊下用板部材の差込可能部が付勢されて長孔に当接されるので、板紙製商品吊下具を取付用台紙板の長孔にがたつくことなく確実に取り付けできる。また、板紙製商品吊下具の取付用台紙板からの取り外しも簡単にできる。
そして、板紙製商品吊下具は４枚の板紙が縦方向に並ぶので、堅牢であり、板紙製商品吊下具と取付用台紙板は板紙製で、製作が簡単かつ安価に提供でき、廃棄処理する場合にも便利である。
【００１１】
この考案の商品展示用具によれば、下部側押さえ部は、差込可能部より下方に延び、かつ下端部は下部側押さえ部側に膨出しており、さらに、差込可能部と前記下部側押さえ部間により形成される溝部の開口端部は、差込可能部側に屈曲しているので、板紙製商品吊下具の溝部に取付用台紙板の長孔の下辺付近かつ下部となる部分を進入させたとき、きつく嵌めることができ、装着後商品の吊り下げ時などにがたつきを生じたり、長孔より抜けることがない。
また、商品吊下用板部材の差込可能部の長さが、取付用台紙板の長孔の長さより短く、また、板紙製商品吊下具は、２枚の板紙製吊下用板部材の差込可能部を閉じた状態における厚さが、長孔の幅より薄いものとなっているので、板紙製商品吊下具は、差込可能部を閉じた状態で長孔に挿入して下方へ移動して溝部を嵌め、簡単に装着できる。
【００１２】
この考案の商品展示用具によれば、接合用板部は、上部側押さえ部および下部側押さえ部より先端側に設けられており、差込可能部、上部側押さえ部および下部側押さえ部には、設けられていないので、２枚の商品吊下用板部材の差込可能部は接合用板部を支点として閉じることができ、閉じた差込可能部を取付用台紙板の長孔に差し込みでき、溝部に取付用台紙板の長孔の下部を進入させることができる。
上部側押さえ部は、板紙製商品吊下具の取付用台紙板への装着時において、取付用台紙板の長孔の上辺より上部側となる部分と当接するものであるから、板紙製商品吊下具の差込可能部と下部側押さえ部間により形成された溝部を長孔の下辺に嵌合時、上部側押さえ部が取付用台紙板の長孔の上辺より外れることなく、確実に当てることができ、２枚の商品吊下用板部材の先端側に商品を吊り下げても、商品吊下用板部材の先端側が下がることはない。
【図面の簡単な説明】
【００１３】
【図１】図１は、本考案の商品展示用具の取付用台紙板と板紙製商品吊下具を示す斜視図である。
【図２】図２は、取付用台紙板に板紙製商品吊下具を取り付けた斜視図である。
【図３】図３は、取付用台紙板に板紙製商品吊下具を挿入嵌合した状態の断面図である。
【図４】図４は、取付用台紙板の長孔に閉じた差込可能部を挿入した状態の要部拡大図である。
【図５】図５は、板紙製商品吊下具の斜め前側から見た斜視図である。
【図６】図６は、板紙製商品吊下具の斜め後側から見た斜視図である。
【図７】図７は、板紙製商品吊下具の正面図である。
【図８】図８は、板紙製商品吊下具の左側面図である。
【図９】図９は、板紙製商品吊下具の平面図である。
【図１０】図１０は、板紙製商品吊下具の底面図である。
【図１１】図１１は、図８の中央縦断面図である。
【図１２】図１２は、図７のＡ−Ａ線の拡大端面図である。
【図１３】図１３は、２枚の板紙製商品吊下用板部材の展開図である。
【考案を実施するための形態】
【００１４】
以下、本考案における実施形態を図面を参照しつつ説明する。
図１ないし図１３において、この考案の商品展示用具は、１または複数の縦方向に延びる長孔２を有する取付用台紙板１と、長孔２に着脱可能に装着される１または複数の板紙製商品吊下具１０とからなる商品展示用具であって、
板紙製商品吊下具１０は、基端側より先端側へ延び、かつ折り曲げられることにより形成された上辺を有する基板部１２および接合用板部１３とを有する２枚の商品吊下用板部材１１、１１からなり、かつ、２枚の商品吊下用板部材１１、１１の接合用板部１３が向かい合うように配置され、接合されることにより形成され、さらに、基板部１２と接合用板部１３間の折り曲げ部１４により、２枚の商品吊下用板部材１１、１１の下辺側が広がるように付勢されたものとなっており、
さらに、それぞれの商品吊下用板部材１１、１１は、基端部に設けられ、取付用台紙板１の長孔２に同時に挿入可能な差込可能部１５と、基板部１２の上辺の基端側に設けられ、上方に突出し、かつ取付用台紙板１に当接可能な上部側押さえ部１６と、基板部１２の下辺の基端側かつ差込可能部１５と近接する位置に設けられ、下方に突出し、かつ取付用台紙板１に当接可能な下部側押さえ部１７と、差込可能部１５と下部側押さえ部１７間により形成され、取付用台紙板１の長孔２の下辺付近かつ下部となる部分が進入可能な溝部１８とを備えてある。
板紙製商品吊下具１０は、２枚の板紙製商品吊下用板部材１１、１１を押さえ、差込可能部１５を閉じた状態とすることにより、取付用台紙板１の長孔２に挿入可能であり、かつ、挿入後の板紙製商品吊下用板部材１１、１１の長孔２の下辺方向への移動による溝部１８への取付用台紙板１の長孔２の下辺付近かつ下部となる部分の進入により、取付用台紙板１に装着され、さらに、装着された板紙製商品吊下用板部材１１、１１は、板紙製商品吊下用板部材が有する付勢力により、下辺側が若干広がるものとなる。
板紙製商品吊下具１０は、上部側押さえ部と下部側押さえ部を取付用台紙板の前面に当接し、板紙製商品吊下用板部材の付勢で差込可能部が広がり長孔に当接されるので、板紙製商品吊下具を取付用台紙板の長孔にがたつくことなく確実に取り付けできる。板紙製商品吊下具１０の取付用台紙板１からの取り外しも簡単にできる。さらには、板紙製商品吊下具は、基板部１２および接合用板部１３からなる２枚の板紙製商品吊下用板部材１１、１１の４枚の板紙が縦方向に並ぶので、堅牢であり、板紙製商品吊下具と取付用台紙板は板紙製で、製作が簡単かつ安価に提供でき、廃棄処理する場合にも便利である。
【００１５】
本考案の商品展示用具を図面に示す実施形態に基づいて詳細に説明する。
図１および図２において、取付用台紙板１は、ボード、ディスプレイ板、段ボール板等板紙で、長方形等適宜形状のもので、１または複数の縦方向に延びる長孔２を有する。
図１および図２に示す取付用台紙板１は、長方形の板紙で、取付用台紙板１の両側に折り目３を介して長方形の側板部４を設け、側板部４に折り目３と平行に折り目５、６を設け、折り目３、５、６で断面三角形状に折り曲げ、折り目６で折り曲げた折り曲げ片７が取付用台紙板１の裏面に接着材で固着されて断面三角形状の側部補強部８が構成されている。そして、取付用台紙板１の側部補強部８の上部に吊り紐９が取付けられている。
取付用台紙板１には、複数個の縦方向に長い長方形の長孔２が両側の側部補強部８よりは内側の位置に所定の間隔をおいて１列に穿設されている。断面三角形状の側部補強部８は、板紙製商品吊下具１０の基端側の差込可能部１５が長孔２に挿入嵌合したとき、側部補強部８の高さより差込可能部の長さが短くなるようにするのが好ましい。取付用台紙板１の材質は、板紙製商品吊下具１０と同じ板紙として、製造にも、廃棄にも便利とするのが好ましい。取付用台紙板１は板紙に限るものではなく、例えば段ボール板等でもよい。長孔２は取付用台紙板１の両側に複数個開ける場合を説明したが、これに限るものではない。また、取付用台紙板１は両側に側部補強部を形成した場合を示したが、これに限るものではなく、例えば側部補強部がない板紙でもよい。
【００１６】
図１３に示すように、板紙製商品吊下具１０は、２枚の板紙を用いて作成する。
板紙製商品吊下具１０は、基端側より先端側へ延び、かつ折り曲げられることにより形成された上辺を有する基板部１２および接合用板部１３とを有する２枚の商品吊下用板部材１１、１１からなり、かつ、２枚の商品吊下用板部材１１、１１の接合用板部１３が向かい合うように配置され、接合されることにより形成され、さらに、基板部１２と接合用板部１３間の折り曲げ部１４により、２枚の商品吊下用板部材１１、１１の下辺側が広がるように付勢されたものとなっている。
【００１７】
図１３に示すように、２枚の板紙で商品吊下用板部材１１、１１を作成する。
２枚の商品吊下用板部材１１、１１の基板部１２は、基端側を先端側より幅広とした長方形板体であり、かつ接合用板部１３は、基板部１２と略同一又は若干幅狭とした長方形板体である。そして、各商品吊下用板部材１１、１１は、基板部１２の上辺の先端部より、上方に突出するフック部１２ａを備えている。接合用板部１３は、基板部１２の上部側押さえ部１６と先端部のフック部１２ａとの間の長さであり、基板部１２に折り曲げ部１４を介して設けてある。
そして、２枚の商品吊下用板部材１１、１１は、基端部に設けられ、取付用台紙板１の長孔２に同時に挿入可能な差込可能部１５と、基板部１２の上辺の基端側に設けられ、上方に突出し、かつ取付用台紙板１に当接可能な上部側押さえ部１６と、基板部１２の下辺の基端側かつ差込可能部１５と近接する位置に設けられ、下方に突出し、かつ取付用台紙板１に当接可能な下部側押さえ部１７と、差込可能部１５と下部側押さえ部１７間により形成され、取付用台紙板１の長孔２の下辺付近かつ下部となる部分が進入可能な溝部１８とを備えてある。
基板部１２は、基端側より先端側へ水平な直線状とした上辺に対して、基端側より先端にかけて下辺を傾斜させて幅を基端側より先端へ順次狭くしてある。接合用板部１３は、基板部１２と同じように基端側より先端側へ水平な直線状の上辺に対して、基端側より先端にかけて下辺を傾斜させて幅を順次狭くしてある。接合用板部１３は基板部１２より若干幅狭として、下方から露出しないようにするのが好ましい。
【００１８】
２枚の商品吊下用板部材１１、１１は、上部側押さえ部１６と先端のフック部１２ａとの間の基板部１２と接合用板部１３の上辺が直線状の折り曲げ部１４で折り曲げ可能に繋がれ、折り曲げ部１４で折り曲げられた２枚の接合用板部１３の向かい合う面がのりなどの適宜接着材１９により貼着されて板紙製商品吊下具１０が構成される。  
図１２に示すように、基板部１２および接合用板部１３は基端側より先端側へ延び、かつ折り曲げられることにより形成された上辺が直線状であり、基板部１２と接合用板部１３間の折り曲げ部１４により、２枚の商品吊下用板部材１１、１１の下辺側が広がるように付勢されたものとなる。
基板部１２と接合用板部１３の折り曲げ部１４は、接合面側に所定の肉厚が残るように外側から切れ目を入れて、接合面側の上部のつながっている部分で折り曲げる。接合用板部１３の折り曲げ部１４で基板部１２を折り曲げるとき、基板部１２には板紙の弾性により折り曲げた方向とは逆の方向である元に戻そうとする付勢力が働いており、２枚の商品吊下用板部材１１、１１の下辺側が接合用板部１３から離れて広がり、側面からみると「ハの字」状となる。
板紙製商品吊下具１０は、２枚の商品吊下用板部材１１、１１が基板部１２と接合用板部１３とからなり、２枚の商品吊下用板部材１１、１１を合わせると４枚の板紙で構成されることになるので、縦方向の荷重に対して十分な強度を有するものとなり、堅牢で耐久性がある。２枚の商品吊下用板部材１１、１１は板紙構造であるも、吊り下げ荷重がかかっても折れたり、曲がったりすることはない。
【００１９】
接合用板部１３は、上部側押さえ部１６および下部側押さえ部１７より先端側に設けられており、差込可能部１５、上部側押さえ部１６および下部側押さえ部１７には、設けられていない。２枚の商品吊下用板部材の差込可能部１５、１５は接合用板部１３の端を支点として相互に対向する側に折り曲げて閉じることができ、閉じた差込可能部１５を取付用台紙板１の長孔２に差し込みできる。すなわち、２枚の閉じた商品吊下用板部材の差込可能部１５と下部側押さえ部１７間の溝部１８に取付用台紙板の長孔２の下辺付近かつ下部となる部分を進入させることができる。
【００２０】
図４に示すように、商品吊下用板部材１１の差込可能部１５の長さｌが、取付用台紙板１の長孔２の長さＬより短く、また、板紙製商品吊下具１０は、２枚の板紙製商品吊下用板部材１１、１１の差込可能部１５、１５を閉じた状態における厚さｂが、長孔２の幅Ｂより薄いものとなっている。
板紙製商品吊下具１０は、基端側の差込可能部１５を閉じて取付用台紙板１の縦方向の長孔２に簡単に挿入でき、挿入後下方へ移動して簡単に溝部１８を長孔２の下辺付近かつ下部となる部分２ａに嵌合することができる。
【００２１】
板紙製商品吊下具１０の上部側押さえ部１６は、板紙製商品吊下具１０の取付用台紙板１への装着時において、取付用台紙板１の長孔２の上辺付近かつ上部となる部分２ｂと当接するものである。
上部側押さえ部１６は基板部１２の上辺にほぼ直交する方向に突出して形成され、差込可能部１５と下部側押さえ部１７の下部に設けた溝部１８を長孔２の下辺に嵌合時に上端が長孔２の上辺位置より高くなるようにして上部側押さえ部１６の上部が取付用台紙板１の長孔２の上部となる部分２ｂを押さえることができるようにしてある。
【００２２】
板紙製商品吊下具１０の下部側押さえ部１７は、基板部１２の下辺の基端側かつ差込可能部１５と近接する位置に設けられる。そして、下部側押さえ部１７は、差込可能部１５より下方に延び、かつ下端部は下部側押さえ部側に膨出しており、さらに、差込可能部１５と下部側押さえ部１７間により形成される溝部１８の開口端部１８ａは、差込可能部側に屈曲している。
下部側押さえ部１７は、基板部１２にほぼ直交する方向に突出して形成されている。下部側押さえ部１７は、下部を差込可能部１５の縦方向の長さより下方に延び、かつ下端部は下部側押さえ部側に膨出して設けられる。
溝部１８は、差込可能部１５と下部側押さえ部１７の下部との間に垂直にコ字形に切り込んで形成されている。コ字形溝部１８の下方の延長部で、下部側押さえ部１７に凸状押さえ部１７ａが若干突出状に形成されている。
溝部１８の幅は、取付用台紙板１の厚みとほぼ同じ幅か、僅かに幅広として、取付用台紙板１の長孔２の下部となる部分が進入可能とされる。溝部１８を構成する下部側押さえ部１７側の内面は、上部側押さえ部１６の取付用台紙板１に当接する面とほぼ同一面となるように設けられ、溝部１８の内面の延長上で、下部側押さえ部１７側に凸状押さえ部１７ａが突出して形成される。
【００２３】
溝部１８の一方の下部隅角部と下部側押さえ部１７側の凸状押さえ部１７ａとにより垂直な溝部１８の下部に差込可能部側に斜めに屈曲した開口端部１８ａが構成される。溝部１８の一方の下部隅角部は、斜めに面取りされた傾斜面１８ｂとされ、下部側押さえ部１７側の凸状押さえ部１７ａは台形状であり、一方の下部隅角部の傾斜面１８ｂに向かい合わせとなる傾斜面１７ｂが形成され、傾斜面１８ｂと１７ｂ間に取付用台紙板１の長孔２の下部となる部分２ａを進入させる通路が構成される。溝部１８の開口端部１８ａは取付用台紙板１の長孔２の下部となる部分２ａが入りやすいように入口側を広く設けるのが好ましい。
差込可能部１５と下部側押さえ部１７間に形成される溝部１８の開口端部１８ａは、差込可能部側に屈曲しているので、板紙製商品吊下具の基端側を閉じて取付用台紙板１の長孔２に差し込み嵌合するとき、垂直の溝部１８の屈曲した開口端部１８ａから取付用台紙板１の長孔２の下部となる部分に挿入され、垂直の溝部１８が取付用台紙板１の長孔２の下辺に当たる位置まで僅かに傾いて嵌められ、下部側押さえ部１７の凸状押さえ部１７ａが取付用台紙板１の長孔２の下部となる部分２ａに押し付けられ、板紙製商品吊下具１０の溝部１８と取付用台紙板１の長孔２の下部がきつく嵌めつけられる。
差込可能部１５と下部側押さえ部１７間に形成される溝部１８は取付用台紙板１の長孔２の下部に僅かに傾いて嵌められるので、下部側押さえ部１７側の凸状押さえ部１７ａが取付用台紙板１の長孔２の下部となる部分に強く押し付けられることになり、取付用台紙板１の長孔２から板紙製商品吊下具１０の溝部１８が無闇に抜けることがない。また、板紙製商品吊下具１０の溝部１８に取付用台紙板１の長孔２の下部となる部分がきつく嵌められることと、上部側押さえ部１６の上部が取付用台紙板１の長孔２の上部となる部分２ｂに押し付けられること、板紙製商品吊下具１０の基端側の差込可能部１５を嵌合後２枚の商品吊下用板部材１１、１１の下辺が広がり、差込可能部１５は元の「ハ」の字状に戻ろうとして、側面が長孔２の側面に当接して保持されることとが相俟って、商品吊下用板部材１１に吊り下げる商品の荷重がかかっても商品吊下用板部材１１の先端側が下がることなく保持できる。
【００２４】
図１１に示すように、板紙製商品吊下具１０の組み立て方は、２枚の商品吊下用板部材１１、１１の基板部１２と接合用板部１３を折り曲げ部１４で折り曲げ、折り曲げた接合用板部１３の向かい合う面に接着材１９を塗布して固着させる。
図１２に示すように、両側の商品吊下用板部材１１、１１は、貼り合わされた基板部１２と接合用板部１３の折り曲げ部１４で折り曲げられる。両側の基板部１２は板紙の弾性により折り曲げ部１４を支点として接合用板部１３より離反する方向に付勢力が働いている。したがって、２枚の商品吊下用板部材１１、１１は貼着した接合用板部１３の折り曲げ部１４を支点として基板部１２の下部が離反する方向に付勢され「ハ」の字状に開かれた状態とされている。そして、図８に示すように、２枚の商品吊下用板部材１１、１１は先端部が「ハ」の字状に開かれた状態となり、また基端側の差込可能部１５、上部側押さえ部１６、下部側押さえ部１７が「ハ」の字状に開かれた状態となる。
【００２５】
板紙製商品吊下具１０の取付用台紙板１への着脱を説明する。
板紙製商品吊下具１０は、基板部１２と接合用板部１３が折り曲げ部１４を支点として「ハ」の字状に開かれた状態となっている２枚の商品吊下用板部材１１、１１の基端側の差込可能部１５を手で閉じて縦向きにして、長孔２に差し込む。取付用台紙板１の縦方向の長孔２に差し込んだ差込可能部１５を下方へ移動して溝部１８を長孔２の下部となる部分２ａに嵌合すると下部側押さえ部１７の凸状押さえ部１７ａが取付用台紙板１の前面に当接され、上部側押さえ部１６が取付用台紙板１の長孔２の上部となる部分２ｂに当接される。
溝部１８を嵌合後差込可能部１５から手を離すことにより、２枚の商品吊下用板部材１１、１１の元に戻る方向の付勢力で差込可能部１５が開かれ、差込可能部１５の側面が長孔２の側面に当接して保持される。
さらに、板紙製商品吊下具の基端側を閉じて取付用台紙板１の長孔２に差し込み嵌合するとき、差込可能部１５と下部側押さえ部１７間により形成される溝部１８の開口端部１８ａは、差込可能部側に屈曲しているので、溝部１８が取付用台紙板１の長孔２の下部となる部分２ａに僅かに傾いて嵌められ、下部側押さえ部１７の凸状押さえ部１７ａが取付用台紙板１の長孔２の下部となる部分２ａに押し付けられ、板紙製商品吊下具１０の溝部１８と取付用台紙板１の長孔２の下部となる部分がきつく嵌めつけられる。そして、板紙製商品吊下具１０の商品吊下用板部材１１は若干斜め上向きにして保持される。
板紙製商品吊下具１０を外す場合は、取付用台紙板１の長孔２に嵌合した商品吊下用板部材１１の差込可能部１５を上方へ移動して溝部１８から離脱させ、差込可能部１５を長孔２から抜いて簡単に外すことができる。
【００２６】
この考案は上記実施形態に限定されるものではなく、この考案の要旨を逸脱しない範囲で、種々の形態を実施しうるものである。
【符号の説明】
【００２７】
１  取付用台紙板
２  長孔
３  折り目
４  側板部
８  側部補強部
１０  板紙製吊り下げ具
１１  商品吊下用板部材
１２  基板部
１３  接合用板部
１４  折り曲げ部
１５  差込可能部
１６  上部側押さえ部
１７  下部側押さえ部
１７ａ  凸状押さえ部
１８  溝部
１８ａ  開口端部
１９  接着材
【図１】
0003161386.tif 000003
【図２】
0003161386.tif 000004
【図３】
0003161386.tif 000005
【図４】
0003161386.tif 000006
【図５】
0003161386.tif 000007
【図６】
0003161386.tif 000008
【図７】
0003161386.tif 000009
【図８】
0003161386.tif 000010
【図９】
0003161386.tif 000011
【図１０】
0003161386.tif 000012
【図１１】
0003161386.tif 000013
【図１２】
0003161386.tif 000014
【図１３】
0003161386.tif 000015